(57)【要約】【課題】  意図しない給紙を確実に防止することができ、これにより、プリンタにおける記録不良を防止する。【解決手段】  トレイプレート１０を、ピックアップスプリング１３の付勢に抗してピックアップローラ６から離間する離間位置と、ピックアップスプリング１３による付勢により用紙３を介してピックアップローラ６に圧接させる圧接位置との間において移動させる離間部材１６を備えており、離間部材１６は、給紙開始時にトレイプレート１０を圧接位置に移動し、給紙開始後において両搬送ローラ１５により前記記録媒体の搬送が開始されると、前記圧接部材を前記離間位置に移動することを特徴とするプリンタ１の給紙機構２。【選択図】      図５
2009269724.tif 000002
【特許請求の範囲】
【請求項１】
給紙トレイに収容された記録媒体の表面に当接して回転することにより、前記給紙トレイにおいて最表面に位置する記録媒体を筐体の内部に供給するピックアップローラと、
前記ピックアップローラによって前記筐体の内部に供給された記録媒体を搬送する搬送手段と、
付勢部材によって前記ピックアップローラの配置側に付勢され、前記給紙トレイに収容された前記記録媒体を前記ピックアップローラに圧接する圧接部材とを有するプリンタの給紙機構であって、
前記圧接部材を、前記付勢部材の付勢に抗して前記ピックアップローラから離間する離間位置と、前記付勢部材による付勢により前記記録媒体を介して前記ピックアップローラに圧接させる圧接位置との間において移動させる離間部材を備えており、
前記離間部材は、給紙開始時に前記圧接部材を前記圧接位置に移動し、給紙開始後において前記搬送手段により前記記録媒体の搬送が開始されると、前記圧接部材を前記離間位置に移動することを特徴とするプリンタの給紙機構。
【請求項２】
前記離間部材は、一端部によって前記圧接部材を押圧する押圧部材と、前記押圧部材の他端部を回動自在に軸支する軸部材と、前記押圧部材の一側縁における他端部に連結されたカムとを有しており、
前記カムの一方向への回転により、前記軸部材を軸として前記押圧部材を一方向に回動させて前記押圧部材の一端部によって前記圧接部材を押圧することにより、前記圧接部材を前記離間位置に移動し、前記カムの他方向への回転により、前記軸部材を軸として前記押圧部材を他方向に回動させて、前記押圧部材の一端部による前記圧接部材に対する押圧を解除することにより、前記圧接部材を前記圧接位置に移動することを特徴とする請求項１に記載のプリンタの給紙機構。
【発明の詳細な説明】
【技術分野】
【０００１】
本発明はプリンタの給紙機構に係り、特に、ピックアップローラの回転によって給紙トレイから記録媒体をプリンタの内部に供給するプリンタの給紙機構に関する。
【背景技術】
【０００２】
従来より、用紙をプリンタの内部に供給する給紙機構として、給紙トレイに収容されている用紙の表面に圧接されたピックアップローラを回転することにより、給紙トレイにおいて最表面に位置する用紙をプリンタの内部に供給するプリンタの給紙機構が用いられている（たとえば、特許文献１および特許文献２参照）。
【０００３】
このようなプリンタの給紙機構は、駆動手段の駆動によって回転可能に設けられたピックアップローラを備えている。プリンタにおけるピックアップローラに対向する位置には、用紙が収容される給紙トレイが装着されるようになっており、給紙トレイの内部における底面には、給紙トレイに収容された用紙をピックアップローラに案内しながらこの用紙をピックアップローラに圧接するための圧接部材としてトレイプレートが配設されている。
【０００４】
プリンタにおける筐体の内部には、給紙トレイが筐体に装着された状態において、トレイプレートをピックアップローラ側に付勢する付勢手段としてピックアップスプリングが、トレイプレートにおけるピックアップローラの対向面との反対面に対向して設けられており、これにより、トレイプレートは、用紙を介してピックアップローラに圧接するようになっている。
【０００５】
筐体の内部であって、用紙の給紙方向におけるピックアップローラの配置位置よりも下流側には、ピックアップローラによって供給された用紙を搬送する搬送手段として一対の搬送ローラが設けられている。両搬送ローラは、ピックアップローラによって供給された用紙の給紙方向における先端縁が両搬送ローラの間に挿入されると、回転によって用紙を所定の方向に搬送するようになっている。
【０００６】
このプリンタの給紙機構は、筐体に給紙トレイが装着されると、ピックアップスプリングによる付勢によってトレイプレートを介して用紙がピックアップローラに圧接する。そして、プリンタの給紙機構は、駆動手段を駆動してピックアップローラを所定の方向に回転することにより、給紙トレイの内部に収容された用紙のうち最表面に位置する用紙を筐体の内部に供給して、両搬送ローラの間に挿入し、両搬送ローラの回転によって用紙を所定の方向に搬送する。
【０００７】
【特許文献１】特開平３−２３１１９号公報
【特許文献２】特開２００３−２０１３０号公報
【発明の開示】
【発明が解決しようとする課題】
【０００８】
しかし、前述のような従来のプリンタの給紙機構においては、ピックアップローラが常に給紙トレイに収容された用紙の表面に圧接されているので、ピックアップローラは、最表面に位置する用紙の後端縁に圧接される際、これと同時に、この最表面の次に位置する用紙の表面に圧接されるおそれがあった。そして、このような場合には、プリンタの給紙機構は、意図せずに２枚連続して給紙してしまうおそれがあり、この結果、プリンタの記録部において誤送された用紙に記録を行ってしまい記録不良が発生してしまうという問題を有していた。特に、プリンタの給紙機構において給紙方向が下方向である場合には、ピックアップローラが最表面に位置する用紙の後端縁に圧接されると同時に、この最表面の次に位置する用紙の表面に容易に圧接してしまい、意図しない連続給紙が多く発生してしまうおそれがあるという問題を有していた。
【０００９】
本発明はこれらの点に鑑みてなされたものであり、意図しない給紙を確実に防止することができ、これにより、プリンタにおける記録不良を防止することが可能なプリンタの給紙機構を提供することを目的とする。
【課題を解決するための手段】
【００１０】
前記目的を達成するため、本発明に係るプリンタの給紙機構の特徴は、給紙トレイに収容された記録媒体の表面に当接して回転することにより、前記給紙トレイにおいて最表面に位置する記録媒体を筐体の内部に供給するピックアップローラと、前記ピックアップローラによって前記筐体の内部に供給された記録媒体を搬送する搬送手段と、付勢部材によって前記ピックアップローラの配置側に付勢され、前記給紙トレイに収容された前記記録媒体を前記ピックアップローラに圧接する圧接部材とを有するプリンタの給紙機構であって、前記圧接部材を、前記付勢部材の付勢に抗して前記ピックアップローラから離間する離間位置と、前記付勢部材による付勢により前記記録媒体を介して前記ピックアップローラに圧接させる圧接位置との間において移動させる離間部材を備えており、前記離間部材は、給紙開始時に前記圧接部材を前記圧接位置に移動し、給紙開始後において前記搬送手段により前記記録媒体の搬送が開始されると、前記圧接部材を前記離間位置に移動する点にある。
【００１１】
この本発明に係るプリンタの給紙機構によれば、給紙開始後において、搬送手段による記録媒体の搬送が開始されると、ピックアップローラと記録媒体との圧接が解除されるので、最表面に位置する記録媒体の後端縁にピックアップローラが圧接する前に、ピックアップローラによる給紙動作を終了することができ、これにより、意図しない連続給紙を防止することができる。さらに、給紙動作時以外では、ピックアップローラと記録媒体との圧接が解除されているので、振動等により記録媒体がその自重によってピックアップローラ側に移動してしまうのを防止することができ、意図しない給紙を防止することができる。
【００１２】
また、本発明に係る他のプリンタの給紙機構の特徴は、前記離間部材は、一端部によって前記圧接部材を押圧する押圧部材と、前記押圧部材の他端部を回動自在に軸支する軸部材と、前記押圧部材の一側縁における他端部に連結されたカムとを有しており、前記カムの一方向への回転により、前記軸部材を軸として前記押圧部材を一方向に回動させて前記押圧部材の一端部によって前記圧接部材を押圧することにより、前記圧接部材を前記離間位置に移動し、前記カムの他方向への回転により、前記軸部材を軸として前記押圧部材を他方向に回動させて、前記押圧部材の一端部による前記圧接部材に対する押圧を解除することにより、前記圧接部材を前記圧接位置に移動する点にある。
【００１３】
この本発明に係る他のプリンタの給紙機構によれば、カムの回転によって、押圧部材を回動して押圧部材の一端部により圧接部材を押圧し、およびこの押圧を解除することにより、容易かつ確実に圧接部材を離間位置と圧接位置との間において移動させることができ、これにより、意図しない連続給紙を確実に防止することができる。さらに、給紙動作時以外では、ピックアップローラと記録媒体との圧接が解除されているので、振動等により記録媒体がその自重によってピックアップローラ側に移動してしまうのを防止することができ、意図しない給紙を確実に防止することができる。
【発明の効果】
【００１４】
以上述べたように、本発明に係るプリンタの給紙機構によれば、最表面に位置する記録媒体の後端縁にピックアップローラが圧接すると同時にこの最表面の次に位置する用紙の表面に圧接することがないので、意図しない連続給紙および意図しない給紙を確実に防止することができる。これにより、プリンタにおける記録不良を防止することができる。
【発明を実施するための最良の形態】
【００１５】
以下、本発明に係るプリンタの給紙機構の一実施形態を図１から図６を参照して説明する。
【００１６】
図１は、本実施形態に係るプリンタの給紙機構を備えたプリンタを示す断面側面図であり、図２は、図１のプリンタにおいて給紙トレイが装着されていない状態を示す断面側面図である。
【００１７】
図１および図２に示すように、本実施形態に係るプリンタ１の給紙機構２は、記録媒体としての用紙３をプリンタ１における筐体５の内部に供給するためのピックアップローラ６を有しており、ピックアップローラ６は、図示しない駆動源によって回転駆動する回転軸７に固着されて回転するようになっている。
【００１８】
筐体５には、内部に用紙３が収容された給紙トレイ９が着脱可能に装着されるようになっており、給紙トレイ９は、その先端部がピックアップローラ６に対向する位置に装着されるようになっている。給紙トレイ９の内部における底面には、給紙トレイ９に収容された用紙３をピックアップローラ６に案内しながらこの用紙３をピックアップローラ６に圧接する圧接部材として、板状のトレイプレート１０が配設されており、給紙トレイ９においては、トレイプレート１０の上面に用紙３の一部分が載置されるようになっている。トレイプレート１０は、その一端部がピックアップローラ６に対向して配置され、他端縁を軸として一端部がピックアップローラ６に接離する方向に回動自在とされており、一端部によって用紙３をピックアップローラ６に圧接するようになっている。
【００１９】
筐体５の内部における給紙トレイ９が装着された状態においてトレイプレート１０を介してピックアップローラ６に対向する位置には、トレイプレート１０をピックアップローラ６の配置側に押圧する板状のリフトアッププレート１２が配設されている。リフトアッププレート１２は、一端縁を軸として他端部がピックアップローラ６に近離する方向に回動自在とされており、他端部によってトレイプレート１０の一端部を押圧するようになっている。
【００２０】
リフトアッププレート１２の一端部におけるトレイプレート１０の対向面と反対面に対向する位置には、リフトアッププレート１２の一端部をピックアップローラ６の配置側に付勢する付勢手段としてのピックアップスプリング１３が設けられており、ピックアップスプリング１３は、リフトアッププレート１２を介してトレイプレート１０をピックアップローラ６の配置側に常に付勢するようになっている。これにより、トレイプレート１０は、用紙３を介してピックアップローラ６に圧接するようになっており、ピックアップローラ６は、給紙トレイ９に収容された用紙３の表面に当接して回転することにより、給紙トレイ９において最表面に位置する用紙３を筐体５の内部における所定の給紙方向に供給するようになっている。本実施形態においては、ピックアップローラ６による給紙方向は、ほぼ下方向とされている。
【００２１】
筐体５の内部であって、用紙３の給紙方向におけるピックアップローラ６の配置位置よりも下流側には、ピックアップローラ６によって筐体５の内部に供給された用紙３を搬送する搬送手段として一対の搬送ローラ１５が回転可能に設けられている。両搬送ローラ１５は、ピックアップローラ６によって供給された用紙３の給紙方向における先端縁が両搬送ローラ１５の間に挿入されると、回転により用紙３を所定の方向に搬送するようになっている。
【００２２】
図３乃至図６に示すように、ピックアップローラ６の近傍には、トレイプレート１０を、ピックアップスプリング１３の付勢に抗してピックアップローラ６から離間する離間位置と、ピックアップスプリング１３による付勢により用紙３を介してピックアップローラ６に圧接させる圧接位置との間を移動させる離間部材１６を有している。
【００２３】
離間部材１６は、トレイプレート１０の一端部を押圧する押圧部材としての略板状の押圧レバー１７を有しており、押圧レバー１７の一端部には、トレイプレート１０を押圧する一対の押圧部１８が形成されている。押圧レバー１７の両側縁における他端部には、それぞれ支持部が立設されており、両支持部には、筐体５に固定された軸部材２０が挿通されている。これにより、押圧レバー１７の他端部は、軸部材２０によって回動自在に軸支されている。両支持部材のうち一側縁に形成された支持部には、連結軸２２が突出して形成され、連結軸２２は、カム２５に形成されたカム溝２６に係止されており、これにより、押圧レバー１７は、連結軸２２を介してカム２５に連結されている。
【００２４】
そして、離間部材１６は、給紙開始前、および給紙開始後において両搬送ローラ１５により筐体５の内部に供給された用紙３の搬送が開始されると、図３および図４に示すように、カム２５の一方向への回転により、軸部材２０を軸として連結部を介して押圧レバー１７を一方向に回転させて、押圧レバー１７における両押圧部１８の一端部によってトレイプレート１０を押圧することにより、トレイプレート１０を離間位置に移動するようになっている。また、離間部材１６は、給紙開始時には、図５および図６に示すように、カム２５の他方向への回転により、軸部材２０を軸として連結軸部を介して押圧レバー１７を他方向に回動させ、押圧レバー１７における両押圧部１８の一端部によるトレイプレート１０に対する押圧を解除することにより、トレイプレート１０を圧接位置に移動するようになっている。
【００２５】
次に、本実施形態の作用について説明する。
【００２６】
まず、図２に示す給紙トレイ９が装着されていない状態のプリンタ１において、図１に示すように、用紙３が収容された給紙トレイ９を筐体５に装着すると、トレイプレート１０が、ピックアップスプリング１３に付勢されたリフトアッププレート１２と、ピックアップローラ６との間に挿入される。このとき、離間部材１６は、図３に示すような押圧レバー１７によって用紙３を介してトレイプレート１０を押圧する位置に配置されており、これにより、トレイプレート１０は、離間位置に移動する。
【００２７】
続いて、プリンタ１に記録開始の指示が入力されると、プリンタ１の給紙機構２は、カム２５を他方向（図５において反時計回り）に回転することにより、軸部材２０を軸として押圧レバー１７を他方向（図５においては時計回り）に回動させて、押圧レバー１７による両押圧部１８の一端部によるトレイプレート１０に対する押圧を解除する。これにより、トレイプレート１０は、圧接位置に移動し、用紙３を介してピックアップローラ６に圧接する。これとともに、プリンタ１の給紙機構２は、駆動源による駆動によってピックアップローラ６を回転することにより、給紙トレイ９の最表面に位置する用紙３を筐体５の内部に供給する。
【００２８】
さらに、給紙開始後において、筐体５の内部に供給された用紙３が両搬送ローラ１５の間に挿入されて、両搬送ローラ１５による用紙３の搬送が開始すると、プリンタ１の給紙機構２は、カム２５を一方向（図３において時計回り）に回転することにより、軸部材２０を軸として押圧レバー１７を一方向（図３において反時計回り）に回転させて、押圧レバー１７における両押圧部１８の一端部によって用紙３を介してトレイプレート１０を押圧する。これにより、トレイプレート１０は、離間位置に移動し、用紙３とピックアップローラ６との圧接は解除され、プリンタ１の給紙機構２においてピックアップローラ６による給紙動作が終了する。
【００２９】
さらに、続けてプリンタ１に記録の指示が入力されている場合には、プリンタ１の給紙機構２は、両搬送ローラ１５による用紙３の記録部への搬送後、再度、カム２５を他方向に回転することにより、両押圧部１８の一端部によるトレイプレート１０に対する押圧を解除することにより、トレイプレート１０を圧接位置に移動して、用紙３を介してピックアップローラ６に圧接する。これとともに、プリンタ１の給紙機構２は、ピックアップローラ６を回転することにより、給紙トレイ９の最表面に位置する用紙３を筐体５の内部に供給する。
【００３０】
このように、本実施形態によれば、給紙開始後において、筐体５の内部に供給された用紙３が両搬送ローラ１５の間に挿入されて、両搬送ローラ１５による用紙３の搬送が開始されると、ピックアップローラ６と用紙３との圧接が解除されるので、最表面に位置する用紙３の後端縁にピックアップローラ６が圧接する前に、ピックアップローラ６による給紙動作を終了することができる。
【００３１】
したがって、プリンタ１の給紙機構２は、最表面に位置する用紙３の後端縁にピックアップローラ６が圧接すると同時にこの最表面の次に位置する用紙３の表面に圧接されることがないので、意図しない連続給紙を確実に防止することができる。特に、本実施形態におけるプリンタ１のように、ピックアップローラ６による給紙方向が下方向の場合であっても、両搬送ローラ１５による用紙３の搬送が開始された後に、ピックアップローラ６と用紙３との圧接を解除することにより、意図しない連続給紙を確実に防止することができる。また、給紙動作時以外では、ピックアップローラ６と用紙３との圧接が解除されるので、プリンタ１の記録動作による振動等により用紙３がその自重によってピックアップローラ６の方向に移動してしまうのを防止することができ、意図しない給紙を確実に防止することができる。
【００３２】
また、プリンタ１の給紙機構２は、カム２５の回転によって、押圧レバー１７を回動して押圧レバー１７の一端部によりトレイプレート１０を押圧し、およびこの押圧を解除することにより、容易かつ確実にトレイプレート１０を離間位置と圧接位置との間において移動させることができ、これにより、意図しない連続給紙および意図しない給紙を確実に防止することができる。
【００３３】
なお、本発明は前記実施形態に限定されるものではなく、必要に応じて種々変更することが可能である。
【００３４】
たとえば、離間部材１６の構成は本実施形態に限定されるものではなく、トレイプレート１０を離間位置と圧接位置との間において移動させることができる構成であればよい。
【００３５】
また、本実施形態においては、トレイプレート１０は、給紙開始前においても離間位置に位置しているが、これに限定されるものではない。本発明において、トレイプレート１０は、給紙開始後において、両搬送ローラ１５による用紙３の搬送開始後であって、搬送中の用紙３がピックアップローラ６に対向する位置を通過するまで離間位置に位置すればよく、搬送中の用紙３がピックアップローラ６に対向する位置を通過した後は、圧接位置に移動して用紙３とピックアップローラ６とを圧接するようにしてもよい。この場合、プリンタ１の給紙機構２は、次の給紙開始までピックアップローラ６の回転駆動を停止する。
【図面の簡単な説明】
【００３６】
【図１】本発明に係るプリンタの給紙機構を用いたプリンタの一実施形を示す断面側面図
【図２】図１のプリンタにおいて給紙トレイが装着されていない場合を示す断面側
【図３】図１のプリンタの給紙機構において圧接部材が離間位置に位置する状態を示す断面図
【図４】図３におけるプリンタの給紙機構を示す斜視図
【図５】図１のプリンタの給紙機構において圧接部材が圧接位置に位置する状態を示す断面図
【図６】図５におけるプリンタの給紙機構を示す斜視図
【符号の説明】
【００３７】
１  プリンタ
２  給紙機構
３  用紙
５  筐体
６  ピックアップローラ
７  回転軸
９  給紙トレイ
１０  トレイプレート
１２  リフトアッププレート
１３  ピックアップスプリング
１５  搬送ローラ
１６  離間部材
１７  押圧レバー
１８  押圧部
１９  支持部
２０  軸部材
２２  連結軸
２５  カム
２６  カム溝
【図１】
2009269724.tif 000003
【図２】
2009269724.tif 000004
【図３】
2009269724.tif 000005
【図４】
2009269724.tif 000006
【図５】
2009269724.tif 000007
【図６】
2009269724.tif 000008